(57)【要約】【課題】地震時の揺れをばねで感知し建物の揺れを出来るだけ小さくすることを特徴とする制震方杖装置を提供する。【解決手段】制震方杖は柱と梁の仕口部に取り付いて天井裏になっているため建物の偏心率も考慮した配置を行うことも出来ます、また地震時のラーメン構造の材端曲げモーメントを考慮した部材角で考えると柱と梁の仕口部でも、制震ブレースとして有効な状態にすることができる。【選択図】図２
0003128730.tif 000002
【実用新案登録請求の範囲】
【請求項１】
地震時に発生する、地震の振動エネルギー（ゆれ）を出来るだけ小さくするために、フレーム構造の柱と梁の仕口部に取り付ける、ばねが設置されている制震方杖装置。
【考案の詳細な説明】
【技術分野】
【０００１】本考案は、フレーム構造の柱と梁の仕口部に取り付いているだけですが、地震時の揺れでフレーム構造の柱と梁の仕口部が変形する、変形は方杖装置に伝わり内蔵しているばね、ばね間のあきを縮小する力が起きる、その縮小する力に対抗するばねの圧縮力を特徴とする制震方杖に関するものである。
【背景技術】
【０００２】木造建物や鉄骨造で方杖構造の建物の場合、地震力や風圧力といった水平力に耐えるため、耐震壁が設けられる。その耐震壁には様々な形式のものがある。【０００３】木造建物の場合、方杖の役目は梁、桁などの横架材が柱と接合する部分を補強するため横架材から柱へ斜めに入れる部材として用いること、また垂木小屋組やトラス小屋組と柱と接合する部分を補強するため小屋組から柱へ斜めに入れる部材として用いる、留め方は釘やビスやボルト締めで留め付けられる。【０００４】鉄骨造建物においては、方杖構造の建物の場合は地震時のラーメン構造の．角度変化を抑えることとして用いたり、鋼管製立体格子トラスとトラス柱の接合部に部材として用いたりします、留め方はボルト締めされる。【０００５】このように、従来の方杖は地震時の水平方向の耐力を確保するために用いることはすくない。
【考案の開示】
【考案が解決しようとする課題】
【０００６】一般の耐震壁の形状は床上より梁下とである。【０００７】偏心率は建物の形状と耐震壁の配置に作用されとおもわれる。【０００８】制震ブレースの配置も建物の形状、利用状態によって制約をうける。【０００９】そこで、本考案の目的は前記従来例の不都合解消するため、平常時は利用空間より目視出来ず、地震時に制震効果として利用するための制震方枝を提供することである。
【課題を解決するための手段】
【００１０】上記目的を達成すべく、本考案の制震方杖は、平常時は原則として天井裏に配置されております、地震時の揺れを感知すると自動的にバネが対応し、制震効果となることを特徴とする。
【考案の効果】
【００１１】本考案の制震方杖を用いることによって、地震時のはげしくゆれが、最小限に抑え建物そのものの被害を防ぐだけでなく、家具、什器の転倒や破損等を防ぐことができる。
【考案を実施するための最良の形態】
【００１２】本考案の制震方杖を実施するための最良の形態を図面に基づき詳細に説明する。図１は鉄骨造に取り付けたさらばねを使用した、制震方杖の平常時の状態を示す側面方向の断面図である。図２は図１の制震方杖の拡大断面図である。図３は鉄骨造に取り付けた圧縮コイルばねを使用した、制震方杖の平常時の状態を示す側面方向の断面図である。図４は図３の制震方杖の拡大断面図である。図５は鉄筋コンクリート造にさらばねを使用した、制震方杖の平常時の状態を示す側面方向の断面図である。図６は木造に取り付けた圧縮コイルばねを使用した、制震方杖の平常時の状態を示す側面方向の断面図である。【００１３】本考案の制震方杖は主に、ばね部、押し出し部、外筒部、取り付け筒部などから構成されている。【００１４】はじめに図１〜図２を用いて各部について説明する。取り付け筒部一般構造用炭素鋼鋼管５を図の形状で作成する、円鋼板６を図の直径で作成する、一般構造用炭素鋼鋼管５と円鋼板６を突合わせ溶接をして一体とします、同様に一般構造用炭素鋼鋼管８を図の形状で作成する、円鋼板７を図の直径で作成する、一般構造用炭素鋼鋼管８と円鋼板７を突合わせ溶接をして一体とします、次に円穴明き円鋼板３を図の直径で作成する、一般構造用炭素鋼鋼管４を図の形状で作成する、円穴明き円鋼板３と一般構造用炭素鋼鋼管４を突合わせ溶接をして一体とします、次に一般構造用炭素鋼鋼管４、円穴明き円鋼板３の一体の内部に一般構造用炭素鋼鋼管５、円鋼板６の一体のものを図の位置にセットする、次にさらばね１部材を図の枚数だけ図の位置にセットする、次に円鋼板７、一般構造用鋼鋼管８の一体のものを図の位置にセットする、次にさらばね１部材を一般構造用炭素鋼鋼管８を通して図の枚数だけ図の位置にセットする、次に円穴明き円鋼板９を図の直径で作成する、次に一般構造用炭素鋼鋼管８を通して円穴明き円鋼板９と一般構造用炭素鋼鋼管４を突合わせ溶接をして一体とします、この全てが一体となった方杖を鉄骨柱１４に一般構造用炭素鋼鋼管５を突合わせ溶接をして一体とします、同様に方杖を鉄骨梁１５に一般構造用鋼鋼管８を突合わせ溶接をして一体とします。【００１５】ばねの違いを図３〜図４を用いて各部について説明する。取り付け筒部一般構造用炭素鋼鋼管５を図の形状で作成する、円鋼板６を図の直径で作成する、一般構造用炭素鋼鋼管５と円鋼板６を突合わせ溶接をして一体とします、同様に一般構造用炭素鋼鋼管８を図の形状で作成する、円鋼板７を図の直径で作成する、一般構造用炭素鋼鋼管８と円鋼板７を突合わせ溶接をして一体とします、次に円穴明き円鋼板３を図の直径で作成する、一般構造用炭素鋼鋼管４を図．の形状で作成する、円穴明き円鋼板３と一般構造用炭素鋼鋼管４を突合わせ溶接をして一体とします、次に一般構造用炭素鋼鋼管４、円穴明き円鋼板３の一体の内部に一般構造用炭素鋼鋼管５、円鋼板６の一体のものを図の位置にセットする、次に圧縮コイルばね２部材を図の位置にセットする、次に円鋼板７、一般構造用鋼鋼管８の一体のものを図の位置にセットする、次に圧縮コイルばね２部材を一般構造用炭素鋼鋼管８を通して図の位置にセットする、次に円穴明き円鋼板９を図の直径で作成する、次に一般構造用炭素鋼鋼管８を通して円穴明き円鋼板９と一般構造用炭素鋼鋼管４を突合わせ溶接をして一体とします、この全てが一体となった方杖を鉄骨柱１４に一般構造用炭素鋼鋼管５を突合わせ溶接をして一体とします、同様に方杖を鉄骨梁１５に一般構造用鋼鋼管８を突合わせ溶接をして一体とします。【００１６】フレーム構造の違いを図５を用いて各部について説明する。取り付け筒部一般構造用炭素鋼鋼管５を図の形状で作成する、円鋼板６を図の直径で作成する、一般構造用炭素鋼鋼管５と円鋼板６を突合わせ溶接をして一体とします、同様に一般構造用炭素鋼鋼管８を図の形状で作成する、円鋼板７を図の直径で作成する、一般構造用炭素鋼鋼管８と円鋼板７を突合わせ溶接をして一体とします、次に円穴明き円鋼板３を図の直径で作成する、一般構造用炭素鋼鋼管４を図の形状で作成する、円穴明き円鋼板３と一般構造用炭素鋼鋼管４を突合わせ溶接をして一体とします、次に一般構造用炭素鋼鋼管４、円穴明き円鋼板３の一体の内部に一般構造用炭素鋼鋼管５、円鋼板６の一体のものを図の位置にセットする、次にさらばね７部材を図の枚数だけ図の位置にセットする、次に円鋼板７、一般構造用鋼鋼管８の一体のものを図の位置にセットする、次にさらばね７部材を一般構造用炭素鋼鋼管８を通して図の枚数だけ図の位置にセットする、次に円穴明き円鋼板９を図の直径で作成する、次に一般構造用炭素鋼鋼管８を通して円穴明き円鋼板９と一般構造用炭素鋼鋼管４を突合わせ溶接をして一体とします、この全てが一体となった方杖の一般構造用炭素鋼鋼管５と異形鉄筋１０を隅肉溶接をして一体とします、同様に方杖の一般構造用鋼鋼管８と異形鉄筋１０を隅肉溶接をして一体とします、鉄筋コンクリート柱１４、鉄筋コンクリート梁１５に異形鉄筋部分を埋め込みます。【００１７】フレーム構造の違いを図６を用いて各部について説明する。取り付け筒部一般構造用炭素鋼鋼管５を図の形状で作成する、円鋼板６を図の直径で作成する、一般構造用炭素鋼鋼管６と円鋼板６を突合わせ溶接をして一体とします、同様に一般構造用炭素鋼鋼管８を図の形状で作成する、円鋼板７を図の直径で作成する、一般構造用炭素鋼鋼管８と円鋼板７を突合わせ溶接をして一体とします、次に円穴明き円鋼板３を図の直径で作成する、一般構造用炭素鋼鋼管４を図の形状で作成する、円穴明き円鋼板３と一般構造用炭素鋼鋼管４を突合わせ溶接をして一体とします、次に一般構造用炭素鋼鋼管４、円穴明き円鋼板３の．一体の内部に一般構造用炭素鋼鋼管５、円鋼板６の一体のものを図の位置にセットする、次にさらばね７部材を図の枚数だけ図の位置にセットする、次に円鋼板７、一般構造用鋼鋼管８の一体のものを図の位置にセットする、次にさらばね７部材を一般構造用炭素鋼鋼管８を通して図の枚数だけ図の位置にセットする、次に円穴明き円鋼板９を図の直径で作成する、次に一般構造用炭素鋼鋼管８を通して円穴明き円鋼板９と一般構造用炭素鋼鋼管４を突合わせ溶接をして一体とします、次に一般構造用炭素鋼鋼管５とみぞ形鋼１１を突合わせ溶接をして一体とします、次に一般構造用鋼鋼管８とみぞ形鋼１２を突合わせ溶接をして一体とします、みぞ形鋼１１、みぞ形鋼１２は木材柱１４、木材梁１５にボルトとめとします。【００１８】図１〜図６の方杖の取り付く位置としてａ：ｂ＝１：３６にすることによって天井裏に配置できます。
【産業上の利用可能性】
【図面の簡単な説明】
【００１９】
【図１】鉄骨造に取り付く平常時の、さらばね制震方杖装置を示した側面方向の断面図
【図２】鉄骨造に取り付く平常時の、さらばね制震方杖装置を示した側面方向の拡大断面図
【図３】鉄骨造に取り付く平常時の、圧縮コイルばね制震方杖装置を示した側面方向の断面図
【図４】鉄骨造に取り付く平常時の、圧縮コイルばね制震方杖装置を示した側面方向の拡大断面図
【図５】鉄筋コンクリート造に取り付く平常時の、さらばね制震方杖装置を示した側面方向の断面図
【図６】木造に取り付く平常時の、圧縮コイルばね制震方杖装置を示した側面方向の断面図
【符号の説明】
【００２０】  １    さらばね
２    圧縮コイルばね
３    円穴明き円鋼板
４    一般構造用炭素鋼鋼管
５    一般構造用炭素鋼鋼管
６    円鋼板
７    円鋼板
８    一般構造用炭素鋼鋼管
９    円穴明き円鋼板
１０    異形鉄筋
１１    みぞ形鋼
１２    みぞ形鋼
１３    ボルト
１４    柱
１５    梁
【図１】
0003128730.tif 000003
【図２】
0003128730.tif 000004
【図３】
0003128730.tif 000005
【図４】
0003128730.tif 000006
【図５】
0003128730.tif 000007
【図６】
0003128730.tif 000008